(57)【要約】【課題】コンテンツと共に表示される広告を、視聴度合いを考慮して表示可能なコンテンツ配信システム及びコンテンツ配信装置を提供する。【解決手段】コンテンツ配信システム３００は、通信ネットワークＮを介して接続された端末８から映像コンテンツの要求を受信するコンテンツ要求受信部１１と、受信した要求に対応する映像コンテンツを、映像コンテンツを記憶する映像コンテンツＤＢ３０から取得する映像コンテンツ取得部１２と、取得した映像コンテンツに対応した視聴情報を、視聴情報記憶部３２５から取得する視聴情報取得部３１８と、取得した視聴情報に応じて、映像コンテンツと共に表示させる広告データを、広告データを記憶する広告ＤＢ４０から選定する広告データ選定部３１６と、映像コンテンツと広告データとを、端末８に対して送信するコンテンツ送信部３１９とを備える。【選択図】図１７
2016005015.tif 000002
【特許請求の範囲】
【請求項１】
映像コンテンツを記憶する映像コンテンツサーバと、
広告データを記憶する広告データサーバと、
映像コンテンツの視聴度合いの情報である視聴情報を、映像コンテンツごとに記憶する視聴情報記憶部と、
通信ネットワークを介して接続された利用者端末から映像コンテンツの要求を受信する要求受信手段と、
前記要求受信手段が受信した前記要求に対応する画像コンテンツを、画像コンテンツサーバから取得する画像コンテンツ取得手段と、
前記画像コンテンツ取得手段が取得した前記画像コンテンツに対応する視聴情報を、前記視聴情報記憶部から取得する視聴情報取得手段と、
前記視聴情報取得手段が取得した前記視聴情報に応じて、前記画像コンテンツ取得手段が取得した前記画像コンテンツと共に表示させる広告データを、前記広告データサーバから選定する広告データ選定手段と、
前記画像コンテンツと前記広告データとを、前記利用者端末に対して送信するコンテンツ送信手段と、
を備えるコンテンツ配信システム。
【請求項２】
請求項１に記載のコンテンツ配信システムにおいて、
前記視聴度合いは、視聴数及び利用者による操作受付数のうち少なくとも一方であること、
を特徴とするコンテンツ配信システム。
【請求項３】
請求項１又は請求項２に記載のコンテンツ配信システムにおいて、
前記視聴度合いは、単位時間あたりの視聴度合いであること、
を特徴とするコンテンツ配信システム。
【請求項４】
請求項１から請求項３までのいずれかに記載のコンテンツ配信システムにおいて、
前記広告データ選定手段は、複数の前記広告データを選定し、
前記コンテンツ送信手段は、前記利用者端末において前記広告データが前記映像コンテンツと共に表示され、前記利用者端末からの指示によって前記広告データの入替が可能なように、前記映像コンテンツと、複数の前記広告データとを、前記利用者端末に対して送信すること、
を特徴とするコンテンツ配信システム。
【請求項５】
請求項１から請求項４までのいずれかに記載のコンテンツ配信システムにおいて、
前記コンテンツ送信手段は、前記利用者端末において、前記広告データ選定手段によって選定された前記広告データが前記映像コンテンツの一部領域で前記映像コンテンツと一体に表示されるように、前記映像コンテンツと前記広告データとを、前記利用者端末に対して送信すること、
を特徴とするコンテンツ配信システム。
【請求項６】
請求項１から請求項４までのいずれかに記載のコンテンツ配信システムにおいて、
前記コンテンツ送信手段は、前記利用者端末において、前記映像コンテンツと前記広告データとがＷｅｂページ上の近似の位置に表示されるように、前記映像コンテンツと、前記広告データとを、前記利用者端末に対して送信すること、
を特徴とするコンテンツ配信システム。
【請求項７】
映像コンテンツの視聴度合いの情報である視聴情報を、映像コンテンツごとに記憶する視聴情報記憶部と、
通信ネットワークを介して接続された利用者端末から映像コンテンツの要求を受信する要求受信手段と、
前記映像コンテンツに対応する視聴情報を、前記視聴情報記憶部から取得する視聴情報取得手段と、
前記視聴情報取得手段が取得した前記視聴情報に応じて、前記映像コンテンツと共に表示させる広告データを、広告データを記憶する広告データサーバから選定する広告データ選定手段と、
前記映像コンテンツと前記広告データとを、前記利用者端末に対して送信するコンテンツ送信手段と、
を備えるコンテンツ配信装置。
【発明の詳細な説明】
【技術分野】
【０００１】
本発明は、動画等のコンテンツとその対応する広告とを利用者が視聴可能に配信するコンテンツ配信システム及びコンテンツ配信装置に関する。
【背景技術】
【０００２】
従来、コンテンツに広告を表示させることが広く行われている。広告を表示させる方法として、例えば、プロダクトプレイスメントという手法がある。この手法を含むコンテンツ一体型の広告形態では、広告をコンテンツ内に表示させるので、ＣＭ（コマーシャルメッセージ）のように飛ばされることなく、視聴者に対して確実に広告効果を生じさせることができる。そして、コンテンツ一体型の広告形態において、広告内容を変更できる技術が開示されている（例えば、特許文献１）。
【先行技術文献】
【特許文献】
【０００３】
【特許文献１】特開２００２−３２５９０号公報
【発明の概要】
【発明が解決しようとする課題】
【０００４】
上述の特許文献１において、コンテンツと共に表示される広告は、実際のコンテンツの視聴度合いを考慮するものではなかった。
【０００５】
そこで、本発明は、コンテンツと共に表示される広告を、視聴度合いを考慮して表示可能なコンテンツ配信システム及びコンテンツ配信装置を提供することを目的とする。
【課題を解決するための手段】
【０００６】
本発明は、以下のような解決手段により、前記課題を解決する。
第１の発明は、映像コンテンツを記憶する映像コンテンツサーバと、広告データを記憶する広告データサーバと、映像コンテンツの視聴度合いの情報である視聴情報を、映像コンテンツごとに記憶する視聴情報記憶部と、通信ネットワークを介して接続された利用者端末から映像コンテンツの要求を受信する要求受信手段と、前記要求受信手段が受信した前記要求に対応する画像コンテンツを、画像コンテンツサーバから取得する画像コンテンツ取得手段と、前記画像コンテンツ取得手段が取得した前記画像コンテンツに対応する視聴情報を、前記視聴情報記憶部から取得する視聴情報取得手段と、前記視聴情報取得手段が取得した前記視聴情報に応じて、前記画像コンテンツ取得手段が取得した前記画像コンテンツと共に表示させる広告データを、前記広告データサーバから選定する広告データ選定手段と、前記画像コンテンツと前記広告データとを、前記利用者端末に対して送信するコンテンツ送信手段と、を備えるコンテンツ配信システムである。
第２の発明は、第１の発明のコンテンツ配信システムにおいて、前記視聴度合いは、視聴数及び利用者による操作受付数のうち少なくとも一方であること、を特徴とするコンテンツ配信システムである。
第３の発明は、第１の発明又は第２の発明のコンテンツ配信システムにおいて、前記視聴度合いは、単位時間あたりの視聴度合いであること、を特徴とするコンテンツ配信システムである。
第４の発明は、第１の発明から第３の発明までのいずれかのコンテンツ配信システムにおいて、前記広告データ選定手段は、複数の前記広告データを選定し、前記コンテンツ送信手段は、前記利用者端末において前記広告データが前記映像コンテンツと共に表示され、前記利用者端末からの指示によって前記広告データの入替が可能なように、前記映像コンテンツと、複数の前記広告データとを、前記利用者端末に対して送信すること、を特徴とするコンテンツ配信システムである。
第５の発明は、第１の発明から第４の発明までのいずれかのコンテンツ配信システムにおいて、前記コンテンツ送信手段は、前記利用者端末において、前記広告データ選定手段によって選定された前記広告データが前記映像コンテンツの一部領域で前記映像コンテンツと一体に表示されるように、前記映像コンテンツと前記広告データとを、前記利用者端末に対して送信すること、を特徴とするコンテンツ配信システムである。
第６の発明は、第１の発明から第４の発明までのいずれかのコンテンツ配信システムにおいて、前記コンテンツ送信手段は、前記利用者端末において、前記映像コンテンツと前記広告データとがＷｅｂページ上の近似の位置に表示されるように、前記映像コンテンツと、前記広告データとを、前記利用者端末に対して送信すること、を特徴とするコンテンツ配信システムである。
第７の発明は、映像コンテンツの視聴度合いの情報である視聴情報を、映像コンテンツごとに記憶する視聴情報記憶部と、通信ネットワークを介して接続された利用者端末から映像コンテンツの要求を受信する要求受信手段と、前記映像コンテンツに対応する視聴情報を、前記視聴情報記憶部から取得する視聴情報取得手段と、前記視聴情報取得手段が取得した前記視聴情報に応じて、前記映像コンテンツと共に表示させる広告データを、広告データを記憶する広告データサーバから選定する広告データ選定手段と、前記映像コンテンツと前記広告データとを、前記利用者端末に対して送信するコンテンツ送信手段と、を備えるコンテンツ配信装置である。
【発明の効果】
【０００７】
本発明によれば、コンテンツと共に表示される広告を、視聴度合いを考慮して表示可能なコンテンツ配信システム及びコンテンツ配信装置を提供することができる。
【図面の簡単な説明】
【０００８】
【図１】第１実施形態に係るコンテンツ配信システムの機能ブロックを示す図である。
【図２】第１実施形態に係るコンテンツ配信システムで行う処理内容を説明するための図である。
【図３】第１実施形態に係るコンテンツ編集システムのコンテンツ配信処理を示すフローチャートである。
【図４】第１実施形態に係るコンテンツ編集システムで用いる各データの例を示す図である。
【図５】第１実施形態に係るコンテンツ編集サーバの広告データ選定処理を示すフローチャートである。
【図６】第１実施形態に係るコンテンツ編集サーバのコンテンツ送信処理を示すフローチャートである。
【図７】第１実施形態に係る端末のコンテンツ表示処理を示すフローチャートである。
【図８】第１実施形態に係るコンテンツ配信システムでのコンテンツ送信方法及びコンテンツ表示方法の例を示す図である。
【図９】第１実施形態に係るコンテンツ配信システムでのコンテンツ送信方法及びコンテンツ表示方法の例を示す図である。
【図１０】第２実施形態に係るコンテンツ配信システムの機能ブロックを示す図である。
【図１１】第２実施形態に係るコンテンツ配信システムのコンテンツ配信処理を示すフローチャートである。
【図１２】第２実施形態に係るコンテンツ編集サーバの広告データ選定処理を示すフローチャートである。
【図１３】第２実施形態に係るコンテンツ編集サーバの関連広告データ抽出処理を示すフローチャートである。
【図１４】第２実施形態に係るコンテンツ編集サーバのコンテンツ送信処理を示すフローチャートである。
【図１５】第２実施形態に係る端末での表示例を示す図である。
【図１６】第２実施形態に係る端末での広告切替を説明する図である。
【図１７】第３実施形態に係るコンテンツ配信システムの機能ブロックを示す図である。
【図１８】第３実施形態に係るコンテンツ編集サーバの記憶部に記憶された各データの例を示す図である。
【図１９】第３実施形態に係るコンテンツ配信システムのコンテンツ配信処理を示すフローチャートである。
【図２０】第３実施形態に係る端末での表示例を示す図である。
【発明を実施するための形態】
【０００９】
以下、本発明を実施するための形態について、図を参照しながら説明する。なお、これは、あくまでも一例であって、本発明の技術的範囲は、これに限られるものではない。
（第１実施形態）
＜コンテンツ配信システム１００の全体構成＞
図１は、第１実施形態に係るコンテンツ配信システム１００の機能ブロックを示す図である。
コンテンツ配信システム１００は、端末８（利用者端末）からの要求に応じて配信する映像コンテンツを、端末８を操作しているユーザ（利用者、視聴者）や端末８に関連した広告を含んだものにするシステムである。
コンテンツ配信システム１００は、コンテンツ編集サーバ１（コンテンツ配信装置）と、映像コンテンツサーバ３と、広告データサーバ４と、端末８とを備え、各々通信ネットワークＮを介して接続されている。
【００１０】
＜コンテンツ編集サーバ１＞
コンテンツ編集サーバ１は、端末８から映像コンテンツの要求を受信し、端末８にて広告入り映像コンテンツを表示させるように、映像コンテンツと広告データとを端末８に送信するサーバである。
コンテンツ編集サーバ１は、制御部１０と、記憶部２０とを備える。
制御部１０は、コンテンツ編集サーバ１の全体を制御する中央処理装置（ＣＰＵ）である。制御部１０は、記憶部２０に記憶されているオペレーティングシステム（ＯＳ）や、各種のアプリケーションプログラムを適宜読み出して実行することにより、上述したハードウェアと協働し、各種機能を実行する。
【００１１】
制御部１０は、コンテンツ要求受信部１１（要求受信手段）と、映像コンテンツ取得部１２（映像コンテンツ取得手段）と、個別情報取得部１３（個別情報取得手段）と、コンテンツ要素抽出部１４（コンテンツ要素抽出手段）と、対応情報判定部１５（対応情報判定手段）と、広告データ選定部１６（広告データ選定手段、広告データ取得手段）と、コンテンツ送信部１９（コンテンツ送信手段）とを備える。
コンテンツ要求受信部１１は、端末８から映像コンテンツの要求を受信する制御部である。
映像コンテンツ取得部１２は、コンテンツ要求受信部１１が受信した要求に対応する映像コンテンツを、映像コンテンツサーバ３の映像コンテンツＤＢ３０から取得する制御部である。
【００１２】
個別情報取得部１３は、個別情報を取得する制御部である。個別情報取得部１３は、個別情報として、例えば、端末８のＩＰアドレスを取得する。
コンテンツ要素抽出部１４は、映像コンテンツ取得部１２が取得した映像コンテンツのうち、特定フレームの画像情報及び音声情報のうち少なくともいずれかの情報（抽出基準）に基づいて広告関連情報を抽出する制御部である。広告関連情報については、後述する。
対応情報判定部１５は、コンテンツ要素抽出部１４により抽出された広告関連情報に、対応情報記憶部２２に格納された内容（キー情報）を含むか否かを判定する制御部である。
【００１３】
広告データ選定部１６は、映像コンテンツ取得部１２が取得した映像コンテンツと共に表示させる広告データを、広告データサーバ４の広告ＤＢ４０から選定する制御部である。広告データ選定部１６は、再生する映像コンテンツに対応した複数の広告データのうち、個別情報取得部１３により取得した個別情報に基づいて各広告データに関連付けられた広告関連情報を参照することで、当該映像コンテンツと同時に再生する広告データを選定する。また、広告データ選定部１６は、広告データを選定する際に用いられる映像コンテンツと広告データとの対応関係について、予め利用者により設定しておくことも可能であるが、コンテンツ要素抽出部１４によって自動抽出された広告関連情報を考慮し、選定することもできる。すなわち、映像コンテンツに広告データを埋め込んで配信する際、広告データ選定部１６は、当該映像コンテンツと広告データとの対応関係を自動判別して、制御部１０は、映像コンテンツの取得要求を行ったユーザの好みに最適な広告データを、有効に配信することができる。また、広告データ選定部１６は、広告データを選定する際、対応情報判定部１５によりキー情報を含むと判定された場合には、キー情報に関連付けられた対応情報を含まないように考慮することができる。この場合、対応情報としては、例えば、競合するメーカに関する情報等であり、所望によりそれらの広告を排除することができる。
コンテンツ送信部１９は、端末８において、広告データ選定部１６によって選定された広告データが映像コンテンツの一部領域で映像コンテンツと一体に表示されるように、映像コンテンツと広告データとを、端末８に対して送信する制御部である。
これらの各機能の詳細については、後述する。
【００１４】
記憶部２０は、コンテンツ編集サーバ１の動作に必要なプログラム、データ等を記憶するためのハードディスク、半導体メモリ素子等の記憶装置である。
なお、本発明でいうコンピュータとは、制御部、記憶装置等を備えた情報処理装置をいい、コンテンツ編集サーバ１は、制御部１０、記憶部２０等を備えた情報処理装置であり、本発明のコンピュータの概念に含まれる。
記憶部２０は、広告関連情報記憶部２１と、対応情報記憶部２２とを備える。
広告関連情報記憶部２１は、広告データサーバ４の広告ＤＢ４０に記憶されている各広告データの広告関連情報を、広告データごとに記憶する。
対応情報記憶部２２は、広告関連情報の内容（キー情報）と、キー情報に関連する対応情報とを記憶する。キー情報と対応情報とは、例えば、文字データである。キー情報と対応情報との関係は、キー情報に対する関連性を示すものであり、これらの情報は、映像コンテンツに埋め込む広告データの選定に用いられる。対応情報としては、キー情報との関連度の高い情報であっても、関連度の低い、あるいは映像コンテンツに含まれるキー情報に対して表示したくない広告データの情報であってもよい。対応情報は、例えば、キー情報と共に表示することができない競合関係にある情報等を用いることができ、キー情報に対して埋め込みを排除する広告データを選定するのに用いられる。
【００１５】
＜映像コンテンツサーバ３＞
映像コンテンツサーバ３は、映像コンテンツを記憶する映像コンテンツＤＢ３０を有するサーバである。映像コンテンツＤＢ３０には、少なくとも１つ以上の映像コンテンツが記憶されている。映像コンテンツとは、時間の経過と共に変化して画像が表示されるコンテンツをいう。映像コンテンツは、複数のフレーム（静止画）からなる。映像コンテンツは、例えば、ビデオカメラで撮影したものや、映画やドラマ等である。
【００１６】
＜広告データサーバ４＞
広告データサーバ４は、広告データを記憶する広告ＤＢ４０を有するサーバである。広告ＤＢ４０には、複数の広告データが記憶されている。広告データは、文字データや、静止画像、動画像等であり、特定の映像コンテンツに対して複数の対応する広告データが存在する。特定の映像コンテンツに対応する複数の広告データは、それぞれの状況（ユーザの利用状況や、映像コンテンツ内の広告関連情報）に応じて、そのうちのいずれかが選定され、映像コンテンツに広告データが合成、あるいは重畳表示される。
【００１７】
＜端末８＞
端末８は、表示画面８０を備え、端末８のユーザが、コンテンツ編集サーバ１に対して映像コンテンツを要求し、受信した映像コンテンツを表示画面８０上に再生することで、視聴できる端末である。端末８は、例えば、パーソナルコンピュータ（ＰＣ）や、タブレット端末等で構成することができる。図示していないが、端末８は、制御部や記憶部等を備え、記憶部には、Ｗｅｂページを表示するためのブラウザ（図示せず）が記憶されている。
なお、本発明でいうコンピュータとは、制御部、記憶装置等を備えた情報処理装置をいい、端末８は、制御部、記憶部等を備えた情報処理装置であり、本発明のコンピュータの概念に含まれる。
通信ネットワークＮは、コンテンツ編集サーバ１と、映像コンテンツサーバ３と、広告データサーバ４と、端末８との間のネットワークであり、インターネット回線等の通信網である。
【００１８】
＜処理概要＞
次に、コンテンツ配信システム１００で行う処理の概要について説明する。
図２は、第１実施形態に係るコンテンツ配信システム１００で行う処理内容を説明するための図である。
図２（Ａ）は、映像コンテンツサーバ３の映像コンテンツＤＢ３０に記憶されている映像コンテンツ３１の一部を示す。
映像コンテンツ３１は、時間ｔ１からｔ５の間に、缶Ｃを持った登場人物Ｐが、缶Ｃの中身を飲む映像である。フレーム３１ｔ１は、時間ｔ１に対応したフレームである。
図２（Ｂ）は、合成後コンテンツ５１を示す。合成後コンテンツ５１は、コンテンツ編集サーバ１にて処理を行った後の広告入り映像コンテンツである。
合成後コンテンツ５１では、フレーム５１ｔ１が示すように、登場人物Ｐが、広告入りの缶Ｃａを持っている。なお、フレーム３１ｔ１は、フレーム５１ｔ１に対応し、フレーム３１ｔ５は、フレーム５１ｔ５に対応する。
合成後コンテンツ５１は、缶Ｃが広告入りの缶Ｃａになったのを除いて、映像コンテンツ３１と同じである。
【００１９】
すなわち、映像コンテンツ３１の各フレームに存在する缶Ｃの画像において、広告ＤＢ４０に記憶されている缶Ｃａに関する広告データ（ここでは広告の入った缶Ｃａの画像データ）が映像コンテンツ３１の缶Ｃに対応するピクセルに重畳表示されることで、合成後コンテンツ５１として形成されている。なお、重畳表示される際には、映像コンテンツ３１内の缶Ｃの画像の形状及び大きさ等に応じて、広告データは、それに対応するように適宜、拡大縮小される。また、ここでは缶Ｃの画像の対応ピクセル全体を、対応する広告データである画像データで上書きする説明を行ったが、広告データは、画像データに限られるものではなく、例えば、文字データで構成することも可能である。この場合、缶Ｃの画像の一部分である対応ピクセル内に重畳表示したり、あるいは缶Ｃの画像とは異なる部分、例えば、単色で構成された画像部に重畳表示させたりすることも可能である。
このように、コンテンツ配信システム１００は、映像コンテンツ３１を、広告入りの映像コンテンツである合成後コンテンツ５１にすることができる。これにより、コンテンツ配信システム１００は、ユーザに、コンテンツを見せながら、広告も一緒に見させるようにできる。
【００２０】
＜メイン処理＞
次に、コンテンツ配信システム１００の処理について、具体的に説明する。
図３は、第１実施形態に係るコンテンツ配信システム１００のコンテンツ配信処理を示すフローチャートである。
図４は、第１実施形態に係るコンテンツ配信システム１００で用いる各データの例を示す図である。
図５は、第１実施形態に係るコンテンツ編集サーバ１の広告データ選定処理を示すフローチャートである。
図６は、第１実施形態に係るコンテンツ編集サーバ１のコンテンツ送信処理を示すフローチャートである。
図７は、第１実施形態に係る端末８のコンテンツ表示処理を示すフローチャートである。
【００２１】
以下に説明する処理の前提として、端末８の表示画面８０には、Ｗｅｂページ（図示せず）が表示されている。そして、そのＷｅｂページ上には、映像コンテンツを表示させるためのコンテンツ編集サーバ１上のリンクが指定されたコンテンツを有する。
図３のステップＳ（以下、単に「Ｓ」という。）１０において、ユーザがＷｅｂページのリンクが指定された対応コンテンツをクリック等して指定することで、端末８の制御部は、映像コンテンツの受信要求を、コンテンツ編集サーバ１に対して送信する。より具体的には、例えば、Ｗｅｂページに埋め込まれた動画再生プログラムと、それに関連付けられたリンクとが指定されており、当該動画再生プログラムをクリックすることにより、関連付けられたリンク上に置かれている映像コンテンツの受信要求が行われる。
Ｓ２０において、コンテンツ編集サーバ１の制御部１０（コンテンツ要求受信部１１）は、映像コンテンツの受信要求を受信する。
【００２２】
Ｓ２１において、制御部１０（個別情報取得部１３）は、接続先である端末８のＩＰアドレスを取得する。端末８は、コンテンツの要求を送信した際に、広告データの選定基準となる端末８の個別情報である各種情報（ここではＩＰアドレスとしたが、クッキーやこれまでの映像コンテンツの受信履歴等も可能である）もあわせて送信している。そこで、制御部１０は、コンテンツ要求を受信したことに応じて、端末８の個別情報を取得できる。
Ｓ２２において、制御部１０（映像コンテンツ取得部１２）は、要求に対応した映像コンテンツを、映像コンテンツＤＢ３０から抽出して取得する。
Ｓ２３において、制御部１０（コンテンツ要素抽出部１４）は、取得した映像コンテンツを解析することで広告関連情報を抽出する。
【００２３】
ここで、映像コンテンツから広告関連情報を抽出する処理について説明する。
広告関連情報とは、映像コンテンツの各フレームにおける一部、あるいは全体の画像に含まれる予め決められた広告を埋め込むために必要な情報のことであり、抽出された広告関連情報を有する広告データが広告ＤＢ４０に記憶されていれば、当該映像コンテンツにおけるフレームの画像の一部、あるいは全体に対応する広告データが埋め込まれる。なお、制御部１０は、映像コンテンツの各フレームの画像、文字、映像コンテンツの音声部分等を、画像認識及び音声認識をすることにより、各フレームに広告関連情報となる画像、あるいは音声等が含まれていないか判断し、抽出する。画像認識及び音声認識からの広告関連情報の抽出には、公知の画像特徴抽出アルゴリズム、例えば、ＳＩＦＴ（Ｓｃａｌｅ−Ｉｎｖａｒｉａｎｔ  Ｆｅａｔｕｒｅ  Ｔｒａｎｓｆｏｒｍ）やＢｏＦ（Ｂａｇ  ｏｆ  Ｆｅａｔｕｒｅｓ）、ＯＣＲ（Ｏｐｔｉｃａｌ  Ｃｈａｒａｃｔｅｒ  Ｒｅｃｏｇｎｉｔｉｏｎ）では、例えば、ベイズ識別法、シーン解析は、機械学習、例えば、ＳＶＭ（Ｓｕｐｐｏｒｔ  Ｖｅｃｔｏｒ  Ｍａｃｈｉｎｅ）、Ｓｐｅｅｃｈ  Ｒｅｃｏｇｎｉｔｉｏｎでは、例えば、Ｈｉｄｄｅｎ  Ｍａｒｋｏｖ  Ｍｏｄｅｌｓ等のアルゴリズムを組み合わせることで行うことができる。
【００２４】
図４（Ａ）は、映像コンテンツの広告関連情報の一例を示す図であり、映像コンテンツ３１から抽出された広告関連情報の内容を示す。図に示されるように、映像コンテンツの広告関連情報は、項目ごとに内容を関連付けて記憶部２０等に格納される。なお、映像コンテンツの広告関連情報は、必ずしも項目ごとに分けて保存する必要はなく、抽出された内容のみを保存しておくことも可能である。
映像コンテンツの広告関連情報における項目としては、例えば、「出演者情報」、「シーン（情景）」、「会話内容」、「文字」、「天気」、「時間帯」等の予め設定された情報に基づいて属性をグループ化したものが挙げられる。また、内容は、予め設定された情報（抽出基準）に基づいて、映像コンテンツに対して自動認識を行うことで、映像コンテンツに含まれる広告関連情報を抽出する。
抽出は、例えば、映像コンテンツにおける各フレームに対してそれぞれ画像認識及び／又は音声認識を用いて判断することで行われる。このとき、必ずしも映像コンテンツに含まれる全てのフレームに対して行う必要はなく、例えば、１０フレームごとに認識をしたり、映像コンテンツの前半部分のフレームのみを認識対象としたりする等、適宜省略することが可能である。
【００２５】
抽出処理は、認識を行う各フレームにおいて予め設定された広告関連情報が含まれるか否かを判断し、広告関連情報が含まれると判断されれば、その情報を映像コンテンツの識別子と対応付けて保存する。その際、広告関連情報と共に抽出されたフレームの再生時間と、その情報がフレーム内のいずれの場所に存在するかを示すピクセルの位置情報とを記憶する。例えば、映像コンテンツ３１で、ロボットが家の部屋の中のシーンで出演していた場合には、「ロボット」や「家」が広告関連情報として抽出される。すなわち、認識する対象として広告関連情報の内容が認識され、その内容の属する項目とが関連付けて保存される。
なお、内容のみを抽出条件とすることに限らず、項目自体を抽出するようにしてもよい。また、抽出対象は予めユーザにより設定することもできるが、他の映像コンテンツと比較することで抽出対象を自動選定する等、適宜設定可能である。
図３に戻り、Ｓ２４において、制御部１０（広告データ選定部１６）は、広告データ選定処理を行う。
【００２６】
＜広告データ選定処理＞
ここで、広告データ選定処理について、図５に基づき説明する。
図５のＳ３０において、コンテンツ編集サーバ１の制御部１０は、要求された映像コンテンツに含まれる抽出した広告関連情報と、広告データに予め関連付けられている広告関連情報とを照合する。
ここで、広告データの広告関連情報は、それぞれの広告データに対応した各種情報であり、１つの広告データに対して少なくとも１つ以上の広告関連情報を有する。例えばオレンジジュースに関する広告データであれば、「属する分野」、「商品名」や、その埋め込まれる際の形状に関する情報である「缶」、「ペットボトル」、あるいは商品を表す「オレンジジュース」、「ジュース」等が広告関連情報として、広告関連情報記憶部２１に記憶及び管理されている。広告関連情報記憶部２１は、広告ＤＢ４０に記憶された各広告データを識別してそれぞれに対応付けられた広告関連情報を記憶している。広告データの広告関連情報は、例えば、広告主により、又は、このコンテンツ編集サーバ１の管理者等により作成されて、予め広告関連情報記憶部２１に記憶されている。また、上述の方法により、広告データから自動認識して記憶するよう構成することも可能である。なお、広告関連情報記憶部２１は、広告データサーバ４上に設けてもよいし、広告データに紐付けてメタデータとして管理することで１つのデータとすることも可能である。
【００２７】
図４（Ｂ）に、広告データの広告関連情報の一例を示す。例えば、広告データの広告関連情報は、「企業情報」、「商品情報」、「ブランドイメージ」、「ターゲット層」等の項目と、それに対応する広告関連情報の内容とから構成される。例えば、図４（Ｂ）では、広告関連情報記憶部２１に記憶されている広告データ４１ａが飲料メーカの広告であり、広告データ４１ｘが玩具メーカの広告である一例を示す。広告データにおける広告関連情報の項目及び内容としては、映像コンテンツの項目及び内容と同様である。ここで、広告データの広告関連情報と映像コンテンツの広告関連情報における項目及び内容としては、各々を参照して関連度がわかるように構成すれば、必ずしも全てが同一である必要はない。
【００２８】
図５に戻り、Ｓ３１において、制御部１０は、照合の結果、照合度合いの高い順に、広告データを並べ替える。照合度合いは、映像コンテンツの広告関連情報と、広告データの広告関連情報との間で一致する項目が多ければ多いほど、より高くなる。そして、照合度合いが高いものほど、映像コンテンツと共に表示される広告データを、ユーザに違和感なく見せることができる。また、広告データの優先度を決定付ける基準として、項目ごとに重み付けし、いずれかの項目の重要度を高くすることで、その項目の内容を含むか否かにより、数の多さではなく、内容により優先度を決定付けることができる。
Ｓ３２において、制御部１０（対応情報判定部１５）は、対応情報記憶部２２のキー情報を参照して、映像コンテンツの広告関連情報の内容に一致するキー情報があるか否かを判断する。映像コンテンツの広告関連情報に一致するキー情報がある場合（Ｓ３２：ＹＥＳ）には、制御部１０は、処理をＳ３３に移す。他方、映像コンテンツの広告関連情報に一致するキー情報がない場合（Ｓ３２：ＮＯ）には、制御部１０は、処理をＳ３５に移す。
Ｓ３３において、制御部１０（対応情報判定部１５）は、対応情報記憶部２２から該当のキー情報に関連する対応情報を抽出する。
図４（Ｃ）に、対応情報記憶部２２の例を示す。例えば、図４（Ａ）に示す映像コンテンツ３１の場合、広告関連情報に「ロボット」を含むので、制御部１０は、対応情報記憶部２２を参照し、キー情報の「ロボット」に関連する対応情報「玩具メーカ」を抽出する。
【００２９】
図５に戻り、Ｓ３４において、制御部１０（対応情報判定部１５）は、Ｓ３１にて並べ替えを行った広告データに対応情報を含む場合に、その広告データを除外する。例えば、図４（Ｂ）に示す広告データ４１ａと、広告データ４１ｘとでは、広告データ４１ｘの方が、映像コンテンツ３１との照合度合いが高かったとする。そのような場合でも、広告データ４１ｘには、広告関連情報として「玩具メーカｘ」があるので、制御部１０は、広告データ４１ｘを除外する。これは、映像コンテンツ３１に含まれる広告関連情報と競合関係にある広告を除外するために行う処理であることによる。
Ｓ３５において、制御部１０（広告データ選定部１６）は、ＩＰアドレスから取得した地域情報に基づき、１つの広告データを選定する。ＩＰアドレスからは、地域情報（国や広域地域情報等）が取得できる。そこで、ＩＰアドレスから取得した地域情報が「関東」である場合に、制御部１０は、広告データ４１から「関東」に合った広告データを選定する。これは、広告データの広告関連情報に、関東地方の場所の指定があったり、その他の地方の場所の指定がなかったりした場合に、制御部１０は、それを、「関東」にあった広告データとして選定できる。制御部１０は、並び替え順の上位のものであり、かつ、地域情報に合う広告データを選定する。
なお、選定する広告データは、埋め込まれるフレームが重複しなければ複数選定し、それぞれのフレームに各広告データを埋め込むことができる。また、同一フレームにおいて複数の広告データがある場合には、優先度の高いものが１つ選定される。このとき、広告データの埋め込み位置が異なり、同一フレーム内でも広告同士が競合しない場合には、複数の広告を選定し、埋め込むことが可能である。
その後、制御部１０は、処理を図３に移す。
図３に戻り、Ｓ２５において、コンテンツ編集サーバ１の制御部１０（コンテンツ送信部１９）は、コンテンツ送信処理を行う。
【００３０】
＜コンテンツ送信処理＞
ここで、コンテンツ送信処理について、図６に基づき説明する。
図６のＳ５０において、コンテンツ編集サーバ１の制御部１０は、図３のＳ２４にて選定した広告データを、映像コンテンツに埋め込むか否かを判断する。制御部１０は、この判断を、端末８から受信したブラウザのバージョンによって判断してもよいし、ランダムで行ってもよい。映像コンテンツに広告データを埋め込むと判断した場合（Ｓ５０：ＹＥＳ）には、制御部１０は、処理をＳ５１に移す。他方、映像コンテンツに広告データを埋め込むと判断しない場合（Ｓ５０：ＮＯ）には、制御部１０は、処理をＳ５１ａに移す。ここで、埋め込むとは、各フレームの対応位置に広告データ（画像や文字等）を上書きし、新規なフレームデータを生成することである。
Ｓ５１において、制御部１０は、映像コンテンツに広告データを埋め込む処理を行う。そして、制御部１０は、１つの合成後コンテンツを生成する。
Ｓ５２において、制御部１０は、広告データを埋め込み済のコンテンツである合成後コンテンツを、端末８に対して送信する。その後、制御部１０は、処理を図３に移す。
【００３１】
他方、Ｓ５１ａにおいて、制御部１０は、映像コンテンツと広告データとを送信する。その後、制御部１０は、処理を図３に移す。
図３に戻り、コンテンツ編集サーバ１の制御部１０は、本処理を終了する。
Ｓ１２において、端末８の制御部は、コンテンツ表示処理を行う。
【００３２】
＜コンテンツ表示処理＞
ここで、コンテンツ表示処理について、図７に基づき説明する。
図７のＳ６０において、端末８の制御部は、広告データを埋め込み済のコンテンツである合成後コンテンツを、コンテンツ編集サーバ１から受信したか否かを判断する。図６のＳ５２にてコンテンツ編集サーバ１が合成後コンテンツを送信していれば、端末８の制御部は、合成後コンテンツを受信する。広告データを埋め込み済の合成後コンテンツを受信した場合（Ｓ６０：ＹＥＳ）には、端末８の制御部は、処理をＳ６２に移す。他方、広告データを埋め込み済の合成後コンテンツを受信していない場合（Ｓ６０：ＮＯ）には、端末８の制御部は、処理をＳ６１に移す。ここで、広告データを埋め込み済の合成後コンテンツを受信していない場合とは、図６のＳ５１ａにてコンテンツ編集サーバ１が映像コンテンツと広告データとを送信した場合である。
【００３３】
Ｓ６１において、端末８の制御部は、受信した映像コンテンツと広告データとを合成して合成後コンテンツを生成する。ここで、合成するとは、上述のようにフレームごとに上書き処理を行い、新規な１つのコンテンツを作成してもよいし、後述するように映像コンテンツを再生するプレーヤの上に、例えば、一部分が透明であって広告データのみを再生するプレーヤを重畳させ、両者を同時に再生することで擬似的に１つのコンテンツとすることも可能である。なお、広告データには、埋め込まれる、又は、同時に再生されるフレームの情報を含み、そのタイミングに合わせるためにプレーヤを重畳して再生する際には、映像コンテンツと広告データとの再生タイミングの同期が行われる。
Ｓ６２において、端末８の制御部は、合成後コンテンツを表示画面８０に表示させる。その後、端末８の制御部は、処理を図３に移す。
図３に戻り、端末８の制御部は、処理を終了する。
【００３４】
＜コンテンツ送信及び表示の具体例＞
次に、コンテンツ編集サーバ１でのコンテンツ送信及び端末８でのコンテンツ表示の具体例を説明する。
図８及び図９は、第１実施形態に係るコンテンツ配信システム１００でのコンテンツ送信方法及びコンテンツ表示方法の例を示す図である。
図８は、コンテンツ編集サーバ１で広告データを埋め込み済のコンテンツである合成後コンテンツを生成して、端末８で表示する例である。
コンテンツ編集サーバ１では、映像コンテンツＤＢ３０に記憶されている映像コンテンツ３１と、広告ＤＢ４０に記憶されている広告データ４１ａとに基づき、広告データを埋め込み済の合成後コンテンツ５１ａを生成する。
端末８Ａでは、合成後コンテンツ５１ａを表示する。
なお、端末８Ｂ，８Ｃにおいて、同じ映像コンテンツ３１の要求をした場合には、各々合成後コンテンツ５１ｂ，５１ｃを表示する。合成後コンテンツ５１ｂ、５１ｃは、各々広告データ４１ｂ，４１ｃを用いたものであり、缶の部分の広告が異なる以外は、同じ映像コンテンツである。
【００３５】
図９は、コンテンツ編集サーバ１では、映像コンテンツ３１と広告データ４１ａを含むシート４２ａとを端末８に送信し、端末８で合成して表示する例である。
コンテンツ編集サーバ１では、映像コンテンツＤＢ３０に記憶されている映像コンテンツ３１と、広告ＤＢ４０に記憶されている広告データ４１ａがあるシート４２ａとを、端末８に対して送信する。シート４２ａは、広告データ４１ａを、映像コンテンツ３１の缶の位置に、缶と同じ形状にして、その他の部分は、透明にしたものである。このシート４２ａは、映像コンテンツ３１に缶が表示されているフレーム数分あり、各フレームでの缶の形状に合ったものになっている。
端末８は、表示画面８０に、映像コンテンツ３１の上にシート４２ａを重ね合わせて合成後コンテンツ５１ａとして表示する。そうすることで、コンテンツ配信システム１００では、ユーザに、映像コンテンツ３１と広告データ４１ａとが一体として表示されているように見せることができる。
【００３６】
なお、端末８での合成後コンテンツの表示は、コンテンツ編集サーバ１からデータを逐次受信して行ってもよい。その場合、コンテンツ編集サーバ１での映像コンテンツの広告関連情報を抽出する処理や、広告データの選定処理において、制御部１０は、映像コンテンツを先読みすることで、広告関連情報を抽出して、対応する広告データを選定すればよい。
【００３７】
このように、第１実施形態によれば、コンテンツ配信システム１００は、以下のような効果がある。
（１）映像コンテンツと一体に表示される広告データを、ＩＰアドレスに基づいて選定できる。視聴する端末８が異なれば、ＩＰアドレスが異なる。よって、同じ映像コンテンツであっても、端末８に応じて異なる広告を、同じ映像コンテンツと一体に表示できる。
（２）映像コンテンツの広告関連情報と、広告データの広告関連情報とを照合して、照合度合いの高い広告データを抽出できる。照合度合いが高いことで、映像コンテンツに類似した広告データを抽出できる。よって、映像コンテンツに一体として表示される広告データを、簡易に、映像コンテンツと関連のあるものにできる。また、映像コンテンツを表示中に、ユーザに違和感を与えることなく、広告を提供できる。
【００３８】
（３）対応情報記憶部２２を備え、映像コンテンツのキー情報に対応した対応情報を広告データが含む場合には、その広告データを選定しないようにできる。よって、対応情報を、キー情報に競合関係になる広告に関する情報にすることで、映像コンテンツの一部データと競合関係にある広告を出さないようにできる。
（４）端末８では、映像コンテンツと一体に表示される広告データを、あたかも映像コンテンツの一部分であるかのように見せることができる。それは、コンテンツ編集サーバ１で映像コンテンツと広告データとを合成して、端末８に送信してもよいし、映像コンテンツと広告データとを端末８に送信して、端末８で重畳表示させてもよい。よって、様々な手法によって、映像コンテンツに一体となった広告データを、ユーザに見せることができる。
【００３９】
（第２実施形態）
第２実施形態は、映像コンテンツに広告データを合成した合成後コンテンツを表示させると共に、合成後コンテンツに近接した位置に、関連広告を表示する場合について説明する。なお、以降の説明において、上述した第１実施形態と同様の機能を果たす部分には、同一の符号又は末尾に同一の符号を付して、重複する説明を適宜省略する。
図１０は、第２実施形態に係るコンテンツ配信システム２００の機能ブロックを示す図である。
コンテンツ配信システム２００は、コンテンツ編集サーバ２０１と、映像コンテンツサーバ３と、広告データサーバ４と、端末８とを備える。
【００４０】
＜コンテンツ編集サーバ２０１＞
コンテンツ編集サーバ２０１は、制御部２１０と、記憶部２２０とを備える。
制御部２１０は、コンテンツ要求受信部１１と、映像コンテンツ取得部１２と、個別情報取得部２１３と、コンテンツ要素抽出部１４と、対応情報判定部１５と、広告データ選定部２１６と、関連広告データ抽出部２１７（関連広告データ抽出手段）と、コンテンツ送信部２１９（コンテンツ送信手段、関連広告データ送信手段）とを備える。
個別情報取得部２１３は、個別情報として、例えば、ユーザ情報を取得する制御部である。ユーザ情報は、この例では、ユーザの年齢、性別である。
広告データ選定部２１６は、映像コンテンツ取得部１２が取得した映像コンテンツと共に表示させる広告データを、広告データサーバ４の広告ＤＢ４０から選定する制御部である。広告データ選定部２１６は、広告データを３つ選定する。
関連広告データ抽出部２１７は、広告データ選定部２１６により選定された各広告データと映像コンテンツとに関連する広告データを、各々関連広告データとして広告ＤＢ４０から抽出する制御部である。
コンテンツ送信部２１９は、関連広告データ抽出部２１７で抽出された関連広告データを、端末８に送信する制御部である。また、コンテンツ送信部２１９は、端末８において、広告データ選定部２１６によって選定された広告データが映像コンテンツの一部領域で映像コンテンツと一体に表示されるように、映像コンテンツと広告データとを、端末８に対して送信する制御部である。
これらの各機能の詳細については、後述する。
【００４１】
記憶部２２０は、広告関連情報記憶部２１と、対応情報記憶部２２と、ユーザ情報記憶部２２３とを備える。
ユーザ情報記憶部２２３は、ユーザＩＤ（ＩＤｅｎｔｉｆｉｅｒ）に対応付けて、ユーザの氏名、性別、年齢等を記憶している。
【００４２】
＜メイン処理＞
次に、コンテンツ配信システム２００の処理について説明する。
図１１は、第２実施形態に係るコンテンツ配信システム２００のコンテンツ配信処理を示すフローチャートである。
図１２は、第２実施形態に係るコンテンツ編集サーバ２０１の広告データ選定処理を示すフローチャートである。
図１３は、第２実施形態に係るコンテンツ編集サーバ２０１の関連広告データ抽出処理を示すフローチャートである。
図１４は、第２実施形態に係るコンテンツ編集サーバ２０１のコンテンツ送信処理を示すフローチャートである。
【００４３】
以下に説明する処理の前提として、端末８の制御部は、表示画面８０に表示されたＷｅｂページ（図示せず）からユーザＩＤを送信し、コンテンツ編集サーバ２０１の制御部２１０は、ユーザ情報記憶部２２３を参照することで、ユーザ認証を行っている。そして、端末８の表示画面８０には、認証後のＷｅｂページ（図示せず）が表示されている。そして、そのＷｅｂページ上には、映像コンテンツを表示させるためのコンテンツ編集サーバ２０１上のリンクが指定されたコンテンツを有する。
図１１のＳ２１０において、ユーザがＷｅｂページのリンクが指定された対応コンテンツをクリック等して指定することで、端末８の制御部は、映像コンテンツの受信要求を、コンテンツ編集サーバ２０１に対して送信する。
Ｓ２２０において、コンテンツ編集サーバ２０１の制御部２１０（コンテンツ要求受信部１１）は、映像コンテンツの受信要求を受信する。
Ｓ２２１において、制御部２１０（個別情報取得部２１３）は、認証したユーザＩＤに基づいて、ユーザ情報記憶部２２３を参照して、ユーザ情報として、年齢と、性別との情報を取得する。端末８は、コンテンツの要求を送信した際に、ユーザＩＤもあわせて送信している。そこで、制御部１０は、受信したユーザＩＤを用いて、ユーザ情報記憶部２２３からユーザ情報を取得できる。
Ｓ２２２とＳ２２３とは、図３（第１実施形態）のＳ２２及びＳ２３と同様である。
Ｓ２２４において、制御部２１０（広告データ選定部２１６）は、広告データ選定処理を行う。
【００４４】
＜広告データ選定処理＞
ここで、広告データ選定処理について、図１２に基づき説明する。
図１２のＳ２３０からＳ２３４までは、図５（第１実施形態）と同様である。
Ｓ２３５において、コンテンツ編集サーバ２０１の制御部２１０（広告データ選定部２１６）は、Ｓ２２１で取得したユーザ情報に基づき、３つの広告データを選定する。例えば、ユーザ情報が、「女性」、「２０代」である場合に、制御部２１０は、広告データから「女性」、「２０代」に合った広告データを選定する。これは、例えば、制御部２１０が広告データの広告関連情報のターゲット層が一致するものを選定することで行うことができる。
その後、制御部２１０は、処理を図１１に移す。
図１１に戻り、Ｓ２２５において、コンテンツ編集サーバ２０１の制御部２１０（関連広告データ抽出部２１７）は、関連広告データ抽出処理を行う。
【００４５】
＜関連広告データ抽出処理＞
ここで、関連広告データ抽出処理について、図１３に基づき説明する。
この処理は、１つの映像コンテンツと１つの広告データとに対して行う処理である。そのため、図１１のＳ２２４にて広告データを３つ選定しているので、制御部２１０は、本処理を各広告データに対して、計３回行う。
図１３のＳ２４０において、コンテンツ編集サーバ２０１の制御部２１０は、図１１のＳ２２４で選定された広告データのうち１つの広告データと、図１１のＳ２２３で抽出した映像コンテンツとの広告関連情報を取得する。
Ｓ２４１において、制御部２１０は、Ｓ２４０にて取得した広告関連情報と、広告関連情報記憶部２１の広告関連情報とを照合する。
Ｓ２４２において、制御部２１０は、Ｓ２４１での照合の結果、照合度合いの高い広告データを抽出する。その後、制御部２１０は、処理を図１１に移す。
この処理により、制御部２１０は、映像コンテンツ及び広告データに関連する関連広告データを取得できる。
図１１に戻り、Ｓ２２６において、制御部２１０（コンテンツ送信部２１９）は、コンテンツ送信処理を行う。
【００４６】
＜コンテンツ送信処理＞
ここで、コンテンツ送信処理について、図１４に基づき説明する。
図１４のＳ２５０〜Ｓ２５２まで及びＳ２５１ａは、図６（第１実施形態）のＳ５０〜Ｓ５２まで及びＳ５１ａと同様である。なお、端末８に送信するのは、広告データ選定処理にて選定した全てのデータである。
Ｓ２５３において、制御部２１０は、関連広告データを、端末８に対して送信する。その後、制御部２１０は、処理を図１１に移す。
図１１に戻り、Ｓ２１２において、コンテンツ表示処理を行う。コンテンツ表示処理は、図７（第１実施形態）と同様である。
【００４７】
＜端末８での表示の具体例＞
次に、端末８での表示の具体例について説明する。
図１５は、第２実施形態に係る端末８での表示例を示す図である。
図１６は、第２実施形態に係る端末８での広告切替を説明する図である。
図１５に示すＷｅｂページ２８１は、コンテンツ表示処理（図１１のＳ２１２）により表示画面８０に表示される。Ｗｅｂページ２８１は、合成コンテンツ表示部２８２と、関連広告表示部２８３と、切替ボタン２８４とを備える。
合成コンテンツ表示部２８２には、合成後コンテンツ２８２ａを表示する。合成後コンテンツ２８２ａは、映像コンテンツ３１と、シート４４ａ（図１６参照）とから合成されたものである。
関連広告表示部２８３には、合成後コンテンツ２８２ａに関連した広告データである関連広告データ２８３ａを表示する。関連広告表示部２８３には、合成コンテンツ表示部２８２に合成後コンテンツ２８２ａが表示されている間は、関連広告データ２８３ａが表示される。
切替ボタン２８４は、ユーザが選択することで、合成コンテンツ表示部２８２と、関連広告表示部２８３とに表示された広告を、他の広告に切り替えるためのボタンである。
【００４８】
ここで、広告切替について説明する。
図１６に示すように、端末８の記憶部には、コンテンツ編集サーバ２０１から送信された映像コンテンツ３１と、各広告データを含む３つのシート４４ａ〜４４ｃと、３つの関連広告データ２８３ａ〜２８３ｃとが記憶されている。なお、シート４４ａには、関連広告データ２８３ａが対応し、シート４４ｂには、関連広告データ２８３ｂが対応し、シート４４ｃには、関連広告データ２８３ｃが対応する。
そして、図１６（Ａ）に示すように、端末８の表示画面８０には、Ｗｅｂページ２８１が表示されている。Ｗｅｂページ２８１には、３つのシート４４ａ〜４４ｃのうちの１つであるシート４４ａが選択されて、合成コンテンツ表示部２８２には、合成後コンテンツ２８２ａが表示されている。合成後コンテンツ２８２ａは、映像コンテンツ３１にシート４４ａが重畳表示されたものである。また、関連広告表示部２８３には、関連広告データ２８３ａが表示されている。
【００４９】
そこで、ユーザが、切替ボタン２８４を選択すると、図１６（Ｂ）に示すように、Ｗｅｂページ２８１には、３つのシート４４ａ〜４４ｃのうちの１つであるシート４４ｂが選択されて、合成コンテンツ表示部２８２には、合成後コンテンツ２８２ｂが表示される。また、関連広告表示部２８３には、関連広告データ２８３ｂが表示される。この切替ボタン２８４により次に表示される広告は、端末８の記憶部に記憶されたシート４４ａ〜４４ｃからいずれかが選択される。この選択は、制御部２１０がランダムで行ってもよいし、順番に行ってもよい。
このように、コンテンツ配信システム２００は、端末８でのユーザの操作により、合成コンテンツ表示部２８２と、関連広告表示部２８３とに表示される広告を、端末８の記憶部に記憶されている他の広告に入れ替えることができる。
【００５０】
このように、第２実施形態によれば、コンテンツ配信システム２００は、以下のような効果がある。
（１）広告入り映像コンテンツである合成後コンテンツと共に、その合成後コンテンツに関連する広告を、Ｗｅｂページの合成後コンテンツに近似した位置に表示できる。よって、２つの広告によって、広告効果をより発揮させることができる。
また、合成後コンテンツの広告データと、関連する広告データとを互いに関連した広告にすることで、両広告を連動させることができる。
（２）端末８に複数の広告データを送信し、切替ボタン２８４を用意することで、ユーザが端末８を操作して、広告を異なるものにできる。よって、ユーザの意思で広告データを入れ替えることができる。
【００５１】
（第３実施形態）
第３実施形態は、視聴数に応じて広告を入れ替える場合について説明する。
図１７は、第３実施形態に係るコンテンツ配信システム３００の機能ブロックを示す図である。
図１８は、第３実施形態に係るコンテンツ編集サーバ３０１の記憶部３２０に記憶された各データの例を示す図である。
コンテンツ配信システム３００は、コンテンツ編集サーバ３０１と、映像コンテンツサーバ３と、広告データサーバ４と、端末８とを備える。
【００５２】
＜コンテンツ編集サーバ３０１＞
コンテンツ編集サーバ３０１は、制御部３１０と、記憶部３２０とを備える。
制御部３１０は、コンテンツ要求受信部１１と、映像コンテンツ取得部１２と、視聴情報取得部３１８（視聴情報取得手段）と、広告データ選定部３１６と、コンテンツ送信部３１９とを備える。
視聴情報取得部３１８は、映像コンテンツに対応する視聴情報を、視聴情報記憶部３２５から取得する制御部である。視聴情報は、映像コンテンツの視聴度合いの情報であり、ＰＶ（Ｐａｇｅ  Ｖｉｅｗ）数である。
広告データ選定部３１６は、視聴情報取得部３１８が取得した視聴情報に応じて、映像コンテンツ取得部１２が取得した映像コンテンツと共に表示させる広告データを、広告データサーバ４の広告ＤＢ４０から選定する制御部である。
コンテンツ送信部３１９は、端末８において、広告データ選定部３１６によって選定された広告データが映像コンテンツの一部領域で映像コンテンツと一体に表示されるように、映像コンテンツと広告データとを、端末８に対して送信する制御部である。
【００５３】
記憶部３２０は、視聴情報記憶部３２５と、広告先記憶部３２６とを備える。
視聴情報記憶部３２５は、視聴情報を、映像コンテンツごとに記憶する。
図１８（Ａ）に示すように、視聴情報記憶部３２５は、映像コンテンツに対応付けて、視聴情報であるその映像コンテンツのある期間（例えば、１０日間）のＰＶ数を記憶する。ＰＶ数は、その映像コンテンツを含むページを見られた数であり、映像コンテンツの要求を受信して映像コンテンツを送信するごとに、１増える。
広告先記憶部３２６は、ＰＶ数に対応付けて広告データを特定する広告識別データを記憶する。
図１８（Ｂ）に示すように、広告先記憶部３２６は、映像コンテンツに対応付けてＰＶ数の範囲と、広告識別データとを記憶している。ＰＶ数の範囲に対応する広告識別データは、広告主からの入札によって決定された広告の広告識別データであってもよく、予め広告識別データが記憶されていなくてもよい。その場合には、ＰＶ数が対応する範囲に達した場合に、入札処理を行って、入札された広告の広告識別データを、順次入力してもよい。
【００５４】
＜メイン処理＞
次に、コンテンツ配信システム３００の処理について説明する。
図１９は、第３実施形態に係るコンテンツ配信システム３００のコンテンツ配信処理を示すフローチャートである。
Ｓ３１０において、ユーザがＷｅｂページ（図示せず）にある映像コンテンツを要求するためのリンクをクリック等して指定することで、端末８の制御部は、コンテンツ要求をコンテンツ編集サーバ３０１に対して送信する。
Ｓ３２０及びＳ３２１は、図３（第１実施形態）のＳ２０及びＳ２２と同様である。
Ｓ３２２において、コンテンツ編集サーバ３０１の制御部３１０（視聴情報取得部３１８）は、視聴情報記憶部３２５を参照して、映像コンテンツに対応する視聴情報を取得する。
Ｓ３２３において、制御部３１０（広告データ選定部３１６）は、Ｓ３２２で取得した視聴情報に対応する広告データを、広告先記憶部３２６を参照して選定する。
Ｓ３２４及びＳ３１２は、図３（第１実施形態）のＳ２５及びＳ１２と同様である。
なお、Ｓ３２３において、広告先記憶部３２６の該当する広告識別データがブランクであった場合、つまり、広告データが選定されなかった場合には、制御部３１０（コンテンツ送信部３１９）は、映像コンテンツのみを送信する。
【００５５】
＜端末８での表示の具体例＞
次に、端末８での表示について説明する。
図２０は、第３実施形態に係る端末８での表示例を示す図である。
図２０は、同じ映像コンテンツである映像コンテンツ「Ａ」を選択した場合であって、視聴度合いに応じて合成後コンテンツが変化することを示すものである。
図２０（Ａ）は、ＰＶ数が１０万未満である場合に、端末８に表示される合成後コンテンツの表示例である。広告先記憶部３２６（図１８（Ｂ））を参照し、映像コンテンツ「Ａ」のＰＶ数が１０万未満に対応する広告識別データは、ブランクである。よって、表示画面８０には、広告のない映像コンテンツ３５１ｎが表示される。
【００５６】
図２０（Ｂ）は、ＰＶ数が１０万以上になったある場合に、端末８に表示される合成後コンテンツの表示例である。広告先記憶部３２６（図１８（Ｂ））を参照し、映像コンテンツ「Ａ」のＰＶ数が１０万以上２０万未満に対応する広告識別データは、「ａ」である。よって、表示画面８０には、広告識別データ「ａ」に対応する広告が合成された合成後コンテンツ３５１ａが表示される。
図２０（Ｃ）は、ＰＶ数が２０万以上になったある場合に、端末８に表示される合成後コンテンツの表示例である。広告先記憶部３２６（図１８（Ｂ））を参照し、映像コンテンツ「Ａ」のＰＶ数が２０万以上３０万未満に対応する広告識別データは、「ｂ」である。よって、表示画面８０には、広告識別データ「ｂ」に対応する広告が合成された合成後コンテンツ３５１ｂが表示される。
【００５７】
このように、第３実施形態によれば、コンテンツ配信システム３００は、以下のような効果がある。
（１）映像コンテンツの視聴数（ＰＶ数）に応じて、映像コンテンツと共に表示される広告データを切り替えられる。よって、ユーザは、同じ映像コンテンツであっても、視聴したタイミングで異なる広告を見ることができる。
また、広告主は、視聴度合いに応じた広告枠に対して、広告契約ができる。これは、広告主にとって、宣伝効果がより分かりやすいので、広告契約の向上が期待できる。
（２）映像コンテンツの視聴数（ＰＶ数）を、単位時間あたりにすることで、広告主は、一時的な視聴であるか否か等も広告掲載するか否かの判断材料にできる。
【００５８】
以上、本発明の実施形態について説明したが、本発明は上述した実施形態に限定されるものではない。また、実施形態に記載した効果は、本発明から生じる最も好適な効果を列挙したに過ぎず、本発明による効果は、実施形態に記載したものに限定されない。なお、上述した実施形態及び後述する変形形態は、適宜組み合わせて用いることもできるが、詳細な説明は省略する。
【００５９】
（変形形態）
（１）第１実施形態では、個別情報が端末８のＩＰアドレスであり、第２実施形態では、個別情報がユーザプロファイル情報（年齢、性別）である例を説明した。しかし、個別情報は、端末情報及びユーザ情報（利用者情報）のうち少なくともいずれかの情報であれば、他の情報であってもよい。個別情報は、例えば、端末の端末情報として、Ｃｏｏｋｉｅや、ＭＡＣアドレス、端末の位置情報等であってもよいし、ユーザ情報として、ユーザプロファイル情報（氏名、住所等）等であってもよい。そして、個別情報は、コンテンツ編集サーバに接続した際に取得してもよいし、コンテンツ編集サーバに情報を持っていてもよい。
【００６０】
（２）各実施形態では、映像コンテンツの要求を受信した際に、広告データを映像コンテンツに埋め込んで、合成後コンテンツを端末８に送信するものと、広告データと映像コンテンツとを端末８に送信して端末８で合成するものとを説明した。しかし、他の方法であってもよい。例えば、映像コンテンツに広告データを予め埋め込んだものを用意して、例えば、コンテンツ編集サーバの記憶部に記憶しておき、映像コンテンツの要求を受信したことに応じて、記憶部から選定された埋め込み済の映像コンテンツを抽出して、端末に送信するようにしてもよい。
【００６１】
（３）第１実施形態及び第２実施形態では、個別情報に基づいて広告データを選定するものを説明した。その場合に、選定した広告データを、コンテンツ編集サーバの記憶部に記憶しておき、同じ映像コンテンツの要求をした場合には、既に選定した広告データを除く広告データを選定するようにしてもよい。そのようにすることで、同じユーザ又は同じ端末から同じ映像コンテンツの要求が繰り返しあった場合であっても、異なる広告入りの映像コンテンツをユーザに提供できる。
（４）第２実施形態では、切替ボタンによって端末で広告を入れ替えることができるものを説明した。しかし、入れ替え可能な広告は、同じ広告のもので、例えば、言語が異なるもの等であってもよい。そのようにすることで、ユーザは、自身の言語で表現されている広告を選択することができるので、世界中のどのようなユーザに対しても広告効果が発揮できる広告を提供できる。
【００６２】
（５）第３実施形態では、視聴情報としてＰＶ数を例に説明した。しかし、視聴情報はＰＶ数に限定されない。例えば、アンケートに回答する等、ユーザによる何らかの操作（アクション）をカウントするコンバージョン率等であってもよい。
（６）第３実施形態では、広告入りの映像コンテンツを表示させる例を説明した。しかし映像コンテンツに近似した位置に広告データを表示するものであってもよい。
【００６３】
（７）各実施形態では、広告入り映像コンテンツの広告データが静止画像である例を説明した。しかし、ロゴ等の文字情報であってもよいし、広告データの表示対象物がテレビ等である場合には、動画像であってもよい。
（８）各実施形態では、映像コンテンツサーバ３と、広告データサーバ４とは、通信ネットワークＮを介してコンテンツ編集サーバに対して接続されているものとして説明した。しかし、これに限定されず、コンテンツ編集サーバ１に映像コンテンツＤＢ３０や広告ＤＢ４０を有するようにしてもよい。
【符号の説明】
【００６４】
１，２０１，３０１  コンテンツ編集サーバ
８    端末
１０，２１０，３１０  制御部
１１  コンテンツ要求受信部
１２  映像コンテンツ取得部
１３，２１３  個別情報取得部
１４  コンテンツ要素抽出部
１５  対応情報判定部
１６，２１６，３１６  広告データ選定部
１９，２１９，３１９  コンテンツ送信部
２０，２２０，３２０  記憶部
２１  広告関連情報記憶部
２２  対応情報記憶部
３０  映像コンテンツＤＢ
４０  広告ＤＢ
１００，２００，３００  コンテンツ配信システム
２１７  関連広告データ抽出部
２２３  ユーザ情報記憶部
３１８  視聴情報取得部
３２５  視聴情報記憶部
３２６  広告先記憶部
【図１】
2016005015.tif 000003
【図２】
2016005015.tif 000004
【図３】
2016005015.tif 000005
【図４】
2016005015.tif 000006
【図５】
2016005015.tif 000007
【図６】
2016005015.tif 000008
【図７】
2016005015.tif 000009
【図８】
2016005015.tif 000010
【図９】
2016005015.tif 000011
【図１０】
2016005015.tif 000012
【図１１】
2016005015.tif 000013
【図１２】
2016005015.tif 000014
【図１３】
2016005015.tif 000015
【図１４】
2016005015.tif 000016
【図１５】
2016005015.tif 000017
【図１６】
2016005015.tif 000018
【図１７】
2016005015.tif 000019
【図１８】
2016005015.tif 000020
【図１９】
2016005015.tif 000021
【図２０】
2016005015.tif 000022